(57)【要約】【課題】プラグがソケットに挿し込まれた後、プラグを、ソケットから退く方向へ移動させ、ユーザーがプラグを取り外すことが容易である退出装置を提供する。【解決手段】本考案は、バネの弾力によりプラグが移動されて退出されるかやギアにより移動部品が連動されてプラグが退出されるか或いは押し部品によりプラグが移動されて退出される退出装置である。【選択図】図2
0003121685.tif 000002
【実用新案登録請求の範囲】
【請求項１】
ソケットからプラグを退出する退出裝置であって、バネと、
当該バネに連結され、少なくとも一つの退出部品が伸ばしてある固定部があり、退出部品が当該バネに連動して移動する押さえ部品本体と、一端が当該ソケットに固定され、当該押さえ部品本体が当該バネに連動して移動される時，当該押さえ部品本体の固定部を所定の位置に固定する定位部品と、が含有され、
当該ソケットの内部に位置し、当該押さえ部品本体の退出部品が、当該バネが移動する時の生成した弾力により当該プラグを移動し、当該プラグが当該ソケットから退出する方向へ移動する、ことを特徴とする退出裝置。
【請求項２】
ソケットからプラグを退出する退出裝置であって、当該ソケットに固定される定位本体と、当該定位本体から伸ばす少なくとも一つの突出部と、当該突出部を貫通する軸と、当該軸に連結され、両側に互いに対応する第１の端部と第２の端部とがあり、当該第１の端部が下へ押されると、当該軸の回転により、当該第２の端部が上へ移動されることにより、当該プラグが当該ソケットから退出されること、が含有される、ことを特徴とする退出裝置。
【考案の詳細な説明】
【技術分野】
【０００１】
本考案は、退出装置に関し、特に、プラグが、ソケットから退出するための退出装置に関する。
【背景技術】
【０００２】
社会の発展とともに、電気用品が普及され、ソケットも、重要視されるインターフェースになる。電気用品は、ユーザーが、プラグをソケットに挿し込むことにより、電気的に接続されてから、所定の機能を発揮できる。
【０００３】
一般的に、ソケットを使用する時、特に延長線のソケットを使用する時、ユーザーが、両手を使わないと、プラグをソケットから引き出せなく、即ち、一つの手でソケットを握って、もう一つの手で、プラグを引き出す。あるプラグが容易に引き出せないため、膨大な力でないと、プラグをソケットから引き出すことが出来ず、非常に不便である。
【０００４】
特に、片手しか使えないユーザーにとっては、例えば、障害者や手に傷付きのもの或いは高齢者のようなユーザーにとって、非常に不便である。
【０００５】
また、ユーザーによって、適当ではない方法でプラグを引き出し、例えば、電線を引張ることであり、それにより、銅線が断裂しやすいため、電気的な意外を起こす恐れがある。
【考案の開示】
【考案が解決しようとする課題】
【０００６】
本考案は、膨大な力でなければプラグをソケットから取り外すことができない欠点を改善できる退出装置を提供する。
【０００７】
本考案は、ユーザーが片手で簡単にプラグをソケットから取り外す退出装置を提供する。
【０００８】
本考案は、適当ではない方法でソケットからプラグを取り外す事を防止できる退出装置を提供する。
【課題を解決するための手段】
【０００９】
請求項１の考案は、ソケットからプラグを退出する退出裝置であって、バネと、当該バネに連結され、少なくとも一つの退出部品が伸ばしてある固定部があり、退出部品が当該バネに連動して移動する押さえ部品本体と、一端が当該ソケットに固定され、当該押さえ部品本体が当該バネに連動して移動される時，当該押さえ部品本体の固定部を所定の位置に固定する定位部品と、が含有され、当該ソケットの内部に位置し、当該押さえ部品本体の退出部品が、当該バネが移動する時の生成した弾力により当該プラグを移動し、当該プラグが当該ソケットから退出する方向へ移動する、ことを特徴とする退出裝置である。
【００１０】
請求項２の考案は、ソケットからプラグを退出する退出裝置であって、当該ソケットに固定される定位本体と、当該定位本体から伸ばす少なくとも一つの突出部と、当該突出部を貫通する軸と、当該軸に連結され、両側に互いに対応する第１の端部と第２の端部とがあり、当該第１の端部が下へ押されると、当該軸の回転により、当該第２の端部が上へ移動されることにより、当該プラグが当該ソケットから退出されること、が含有される、ことを特徴とする退出裝置である。
【考案を実施するための最良の形態】
【００１１】
以下、図面を参照しながら、より良い実施例を挙げて、本考案の目的や特徴及び利点を詳しく説明する。
【００１２】
図１は、延長線ソケット１００の実施例であり、ソケット穴１０２に、プラグ９９（図３Ａのように）が挿し込まれる。本実施例において、ソケット穴１０２がシート形状であるが、本技術を良く分かる熟練者であれば、ソケット穴１０２が円形状であってもいいし、三つであっても（図に未表示）よい。本考案において、ソケットは、延長線ソケット１００によって制限されず、一般の、壁上に設けられるソケット（図に未表示）であってもよい。
【００１３】
図２は、本考案の一つの実施例である、バネ２１を有する退出装置２の局部の透視立体図であり、本考案の退出装置２は、ソケット１００（例えば、延長線ソケットあるいは一般の家用壁ソケット）の内部に位置し、以下のソケットは、延長線ソケット１００を例とする。本考案に係わる退出装置２は、バネ２１と、押さえ部品本体２２と、定位部品２３とが含有され、押さえ部品本体２２が、バネ２１に連結され、一般として、バネ２１がソケットの底部１０３に位置する。本実施例において、図３Ａの側面図を参照しながら、プラグ９９がソケット１００に挿し込まれた時、ユーザーは、指でボタン１０１（図１のように）を押すと、本考案の押さえ部品本体２２が下へ移動する。
【００１４】
本考案の押さえ部品本体２２は、少なくとも一つの退出部品２２２が伸ばしてある固定部２２１があり、より良い実施例において、固定部２２１は、ハード状のスロット２２１０が含有される。定位部品２３は、一端が、ソケット１００に固定され、もう一端が、固定部２２１のスロット２２１０の内に位置する。そのため、押さえ部品本体２２が下へ移動する時、固定部２２１も下へ移動するため、スロット２２１０に対する定位部品２３が、スロット２２１０の移動により、スロット２２１０に沿ってスロット２２１０の縁に抵当し、この時、下へ押す限度につく。ユーザーがボタン１０１を離すと、バネ２１の上へ向く弾力により、押さえ部品本体２２が、少しだけ上へ移動し、定位部品２３がスロット２２１０に沿ってハード状スロット２２１０上のハード状凹部に着き、また、固定部２２１が、定位部品２３により、固定されて上へ移動することができない。この時、押さえ部品本体２２の退出部品２２２が、プラグ９９の所定の距離の下方に位置し、図３Ａのようである。また、プラグ９９は、少なくとも二つの導電シートがあるため、それに対応する数の退出部品２２２が設けられる。
【００１５】
ユーザーがプラグ９９を引き出す時、ボタン１０１を下へ押すと、定位部品２３が、スロット２２１０の移動とともに、スロット２２１０の縁に抵当し、ユーザーがボタン１０１を離すと、バネ２１の上へ向く弾力により、押さえ部品本体２２が上へ移動され、定位部品２３が、スロット２２１０に沿ってスロット２２１０の下方に位置し、図３Ｂのように、この時、退出部品２２２も、ともに上へ付勢されて移動し、これにより、プラグ９９が、ソケット１００から退出する方向へ移動される。
【００１６】
図４Ａは、本考案の他の実施例である。本実施例において、退出装置３は、第１のギア３１と、第２のギア３２と、少なくとも一つの移動部品３３とが含有され、当該第２のギアに、少なくとも一つの連接柱３２１がある。第１のギア３１は、第２のギア３２に歯合され、少なくとも一部が、ソケット１００から露出する。
【００１７】
ユーザーがプラグ９９を取り出す時、第１のギア３１を回転すると、例えば、図４Ａの反時計回りの方向に回転すると、第２のギア３２が連動される。各移動部品３３に、中空部３３１があり、各連接柱３２１が、それぞれ、各移動部品３３の中空部に位置する。そのため、第２のギア３２が回転されると、連接柱３２１により移動部品３３が連動され、そして、移動部品３３によりプラグ９９が移動され、これにより、プラグ９９が、ソケット１００から退出する方向へ移動される。
【００１８】
図４Ｂは、本考案の退出装置３の側面図である。プラグ９９に少なくとも二つの導電シートがあるため、それに対応して二つの移動部品３３が設けられ、また、連接柱３２１の長さにより、移動部品３３のピッチＤが、プラグ９９の二つの導電シートのピッチに等しくなる。
【００１９】
図５Ａは、本考案の第３の実施例である。本実施例の退出装置４は、第１の押し部品４１と、少なくとも一つの第２の押し部品４３とが含有され、第１の押し部品４１の少なくとも一部がソケット１００から露出し、第１の押し部品４１と第２の押し部品４３とが、連接レバー４２に固定される。
【００２０】
ユーザーがプラグ９９をソケット１００から引き出す時、第１の押し部品（例えば、図５Ａの黒矢印の方向へ）を移動して、第２の押し部品４３を連動することにより、てこの原理に基づいて、簡単に、プラグ９９がソケット１００から退出する方向へ移動される。
【００２１】
図５Ｂは、本考案の退出装置４の側面図である。プラグ９９に、少なくとも二つの導電シートがあるため、それに対応して、二つの第２の押し部品４３が設けられ、また、連接レバー３２１の長さにより、第２の押し部品４３のピッチＤが、プラグ９９の二つの導電シートのピッチに等しくなる。
【００２２】
また、図１のように、ソケット１００に複数の導電シート１０４があり、プラグ９９がソケット１００に挿し込まれると、プラグ９９と導電シート１０４とが電気的に接続され、ソケット１００には、他の電流を伝送するための回路があり、ここでは、其れの説明を省略する。また、退出部品１２２や移動部品３３或いは第２の押し部品４３等は、それぞれ、上下可動に導電シート１０４同士の間に位置するため、プラグ９９がソケット１００から退出する方向へ移動される。
【００２３】
図６は、本考案の付加式の退出装置６である。当該退出装置６は、定位本体６１と、少なくとも一つの突出部６２と、軸６３と、てこ６４とが含有される。定位本体６１が、ソケット１００の上に固定されるため、本考案の一実施例において、当該定位本体６１から定位柱６５が伸ばし、当該定位柱６５がソケット１００のグランド穴１０４に挿し込まれ、これにより、退出装置６がソケット１００に固定される。てこ６４が軸６３に連結され、また、てこ６４と軸６３とが一体成型であるか、軸支方式により連結される。突出部６２が定位本体６１から伸ばし、また、軸６３が突出部６２に貫通する。
【００２４】
本考案のてこ６４は、てこ６４の両側に、互いに対応する第１の端部６４１と第２の端部６４２とがある。図７のように、本考案の退出装置６を利用してプラグ９９をソケット１００から退出する場合、矢印Ｄ方向に沿って、てこ６４の第１の端部６４１を下へ押すと、軸６３の回転とてこの原理により、てこ６４の第２の端部６４２が上へ移動される。第２の端部６４２が、プラグ９９の二つのプラグ接触シート９９２同士の間に位置するか、プラグ９９の縁９９１に位置する。てこ６４の第２の端部６４２が上へ移動されると、プラグ９９がソケット１００から退出する方向に沿って移動される。
【００２５】
本考案は、プラグ９９が容易にソケット１００から退出することを目的であるため、てこ６４が湾曲状で、第２の端部６４２が扁平状であり、これにより、第２の端部が完全にプラグ９９とソケット１００との間に入ることができる。
【００２６】
しかしながら、あるソケット１００に、グランド穴１０４がなく、例えば、一般の壁上のソケットであり、この時、本考案のもう一つの実施例を利用でき、図８のように、粘着装置（例えば、両面粘着テープや類似するもの）７０で定位本体６１をソケット１００に固定すれば、同じの効果が得られる。また、定位本体６１とソケット１００とが一体成型されることもいい。
【００２７】
また、図９を参照しながら、本考案は、てこ６４の第１の端部６４１が固定される固定装置６７がある。てこ６４の第１の端部６４１に、固定装置６７に対応する係止部６６があり、これにより、第１の端部６４１が下へ押されると、係止部６６が固定装置６７に係止される。より好ましいのは、固定装置６７が定位本体６１に固定され、例えば、固定装置６７と定位本体６１とが一体成型であり、或いは、他の類似する方法によって結合される。
【００２８】
また、第１の端部６４１に、装飾品８０が飾られ、これにより、美観だけでなく、ユーザーが直接に装飾品８０を押せば良い。
【００２９】
上記の実施例から分かるように、本考案に係わる退出装置２と３、４及び６によれば、ユーザーが簡単にプラグ９９を引き出せ、また、電線を引張らないため、断線などの回路問題が発生しない。片手不便や手に傷付きのユーザーにとって、本考案に係わる退出装置２と３、４及び６によれば、ユーザーが簡単にプラグ９９をソケット１００から退出できる。
【００３０】
以上は、ただ、本考案のより良い実施例であり、本考案は、其れによって制限されず、本技術を良く分かる熟練者であれば、本考案の精神や範囲に基づいて、等価の変更や修正ができ、当該等価の変更や修正は、全てが本考案の実用新案登録請求の範囲に含まれる。
【図面の簡単な説明】
【００３１】
【図１】延長線ソケットの実施例である、本考案の退出装置の立体図
【図２】本考案の一実施例である、バネを利用する退出装置の局部透視立体図
【図３Ａ】図2の実施例におけるプラグの退出動作の概念図
【図３Ｂ】図2の実施例におけるプラグの退出動作の概念図
【図４Ａ】本考案の一実施例である、ギアを利用する退出装置の作動の側面図
【図４Ｂ】本考案の一実施例である、ギアを利用する退出装置の左側面概念図
【図５Ａ】本考案の一実施例である、押し部品を利用する退出装置の作動の側面図
【図５Ｂ】Aが本考案の一実施例である、押し部品を利用する退出装置の左側面概念図
【図６】本考案の一実施例の退出装置の立体分解図
【図７】図6の実施例を組立て後の側面断面図
【図８】本考案の一実施例である、粘着装置を利用する退出装置の作動の側面断面図
【図９】本考案の一実施例である、固定装置と装飾品がある退出装置の作動の側面断面図
【符号の説明】
【００３２】
１００        ソケット
１０１        ボタン
１０２        ソケット穴
１０３        ソケット底面
１０４        導電シート
９９          プラグ
９９１        ソケット縁
９９２        ソケット接触シート
２、３、４、６       退出装置
２１          バネ
２２          押さえ部品本体
２２１        固定部
２２２        退出部品
２３          定位部品
３１          第１のギア
３２          第２のギア
３３          移動部品
３３１        中空部
４１          第１の押し部品
４２          連接レバー
４３          第２の押し部品
６１          定位本体
６２          突出部
６３          軸
６４          てこ
６４１        第１の端部
６４２        第２の端部
６５          定位柱
６６          係止部
６７          固定装置
７０          粘着装置
８０          装飾品
【図１】
0003121685.tif 000003
【図２】
0003121685.tif 000004
【図３Ａ】
0003121685.tif 000005
【図３Ｂ】
0003121685.tif 000006
【図４Ａ】
0003121685.tif 000007
【図４Ｂ】
0003121685.tif 000008
【図５Ａ】
0003121685.tif 000009
【図５Ｂ】
0003121685.tif 000010
【図６】
0003121685.tif 000011
【図７】
0003121685.tif 000012
【図８】
0003121685.tif 000013
【図９】
0003121685.tif 000014